(57)【要約】      （修正有）【課題】土製装飾品を装飾具に掛けて飾ることができるようする。そのため土製装飾品の背面にボタン状係止部を設けた土製装飾品を提供する。また、土製装飾品に設けたボタン状係止部と着脱自在に係止し合うボタンホールを設けた装飾具を提供する。また、前記の土製装飾品と装飾具とを組み合わせた装飾品を提供する。【解決手段】土製装飾品の背面にボタン状係止部を設ける。また、吊り下げ部を設けた帯状の柔軟性シートにボタンホールを設けて装飾具とする。また、ボタン状係止部を設けた土製装飾品と、吊り下げ部を設けた帯状の柔軟性シートにボタンホールを形成した装飾具とを組み合わせる。【選択図】図１
2005059566.tif 000002
【特許請求の範囲】
【請求項１】
ボタンホールを設けた装飾具に飾れるように作られた土製装飾品であって、背面にボタン状係止部を設けたことを特徴とする土製装飾品。
【請求項２】
ボタン状係止部を設けた装飾品を飾るための装飾具であって、吊り下げ部を設けた帯状の柔軟性シートにボタンホールを形成したことを特徴とする装飾具。
【請求項３】
背面にボタン状係止部を設けた土製装飾品と、吊り下げ部を設けた帯状の柔軟性シートにボタンホールを形成した装飾具とを着脱自在に組み合わせた装飾品。
【発明の詳細な説明】
【発明の詳細な説明】
【技術分野】
【０００１】  本発明は、土製装飾品を掛けた状態で飾ることができるようにするため、背面にボタン状係止部を設けた土製装飾品、及びその土製装飾品を掛けて飾れるようにするため、土製装飾品に設けたボタン状係止部と着脱自在に係止し合うボタンホールを設けた装飾具、並びに前記の土製装飾品と装飾具とを組み合わせた装飾品に関する。
【背景技術】
【０００２】  壁掛式花瓶の従来技術として、陶器製花瓶の背面に係止手段としてナットを設けた「陶磁器物品」がある（例えば、特許文献１参照）。
また、花瓶を鏡に掛けて飾る従来技術として、花瓶背面に掛止孔を設け、鏡にフック部を有する掛金具を貼着した「花瓶を交換自在に装着する鏡」がある（例えば、特許文献２参照）。【０００３】
【特許文献１】            実登−３０４９１４３号公報（請求項９、図６）
【特許文献２】            実開平６−３１６２号公報（請求項１、図１−５）
【発明が解決しようとする課題】
【０００４】  本発明は、従来、棚やケースなどに飾られていた花瓶や置物、その他の土製装飾品を、装飾具に掛けて飾ることができるようにしようとするものである。そのため、花瓶や置物、その他の土製装飾品の背面にボタン状係止部を設けた土製装飾品を提供しようとするものである。また、花瓶や置物、その他の土製装飾品に設けたボタン状係止部と着脱自在に係止し合うボタンホールを設けた装飾具を提供しようとするものである。また、前記の土製装飾品と装飾具とを組み合わせた装飾品を提供しようとするものでもある。
【課題を解決するための手段】
【０００５】  上記課題を解決するため、ボタンホールを設けた装飾具に飾れるように作られた土製装飾品において、背面にボタン状係止部を設ける。
【０００６】  また、ボタン状係止部を設けた装飾品を飾るための装飾具において、吊り下げ部を設けた帯状の柔軟性シートにボタンホールを形成する。
【０００７】  また、背面にボタン状係止部を設けた土製装飾品と、吊り下げ部を設けた帯状の柔軟性シートにボタンホールを形成した装飾具とを着脱自在に組み合わせる。
【発明を実施するための最良の形態】
【０００８】  本発明は、従来、棚やケースなどに飾られていた花瓶や置物、その他の土製装飾品を、装飾具に掛けて飾ることができるようにしようとするものである。
本発明の土製装飾品は、上記の目的に適うよう、土製装飾品の背面にボタン状係止部を設けて作られる。土製装飾品には、陶器、磁器、土器など、焼き物の装飾品のほか、泥人形などの自然乾燥により作られる装飾品が含まれる。土製装飾品は、例えば、花瓶、置物、人形、動物、野菜、果物などの形に作られる。
同様に、装飾具は、前記の目的に適うよう、土製装飾品に設けられたボタン状係止部と着脱自在に係止し合うボタンホールを設けて作られた装飾具であるが、ボタン状係止部を設けた装飾品全般に利用できる装飾具でもある。
ボタン状係止部とは、ボタンホールに差し込むことによってボタンのように機能して係止できるように作られた部分をいい、頭部と軸部から成る。
例えば、ボタン状係止部は、花瓶を例にすれば、花瓶本体の背面上部に、キノコのような形に、軸部が細く、頭部が広い形状に形成される。このように作られたボタン状係止部はボタンのように機能し、ボタンホールにボタン状係止部の頭部を差し込んで係止することができる。
なお、ボタン状係止部の頭部のサイズとボタンホールのサイズは、着脱自在に係止し合えるサイズに設計して作られる。
ボタン状係止部は、土製装飾品の正面を見せて飾れるように、土製装飾品の背面に設けられる。土製装飾品の背面とは、土製装飾品を装飾具に掛けて飾る場合に、土製装飾品の見せる面となる側の反対側をいうものである。
また、ボタン状係止部は、土製装飾品の正面を見せて飾れるように、土製装飾品の背面に設けられるものであるから、ボタン状係止部は、土製装飾品の背面側にのみ設けることが望ましい。
また、土製装飾品の背面が曲面や球面の場合、飾り難く安定も悪くなるので平面になるよう形成することが望ましい。また、土製装飾品が背の高いものや幅の広いものにあっては、安定性を高めるため、上下又は左右にボタン状係止部を複数箇所形成する形態も選択できる。
本発明による土製装飾品は、柔軟性シートで作られた装飾具に掛けて飾るもので、重量的な制限もあり、２０ｃｍ以下に形成することが望ましい。
柔軟性シートは、織物、不織布、編物、合成樹脂シート、合成紙、紙、ゴムシート、などによって形成される。また、柔軟性シートは、土製装飾品を掛けて飾るものであるから、バランス性や美的観点から帯状に形成するものである。なお、帯状のものには、ボタンホールを形成できる紐状のものも含まれる。
吊り下げ部を設ける形態には、柔軟性シート上部に吊り下げ用の紐やフックなどを付加的に取り付ける形態と、柔軟性シート本体の上部に吊り下げ用の穴やスリットを形成する形態がある。
柔軟性シートに形成するボタンホールは、装飾性を高めるという観点や土製装飾品の位置を変更したり配置を変更したりできるようにするという観点から複数設けることが望ましい。３箇所以上設けることがさらに好ましい。また、ボタンホールは、縦長の形状に設けることが安定性の観点から望ましい。
また、複数のボタンホールを設ける場合、互換性をもたせる観点から、それぞれのボタンホールのサイズは同一にすることが望ましい。同じ観点から、土製装飾品に設けるボタン状係止部のサイズも同一にすることが望ましい。
請求項３による、土製装飾品と装飾具を組み合わせた装飾品は、ボタンホールを複数箇所設けた装飾具と、ボタン状係止部を設けた土製装飾品を複数個とを着脱自在になるよう組み合わせた形態が望ましい。また、ボタンホールとボタン状係止部のサイズは、互換性をもたせるよう同一サイズにし、配置変更自在となる形態にすることが望ましい。
【実施例】
【０００９】  以下図面に基づいて実施例を説明する。
図１は、土製装飾品の実施例を示す図で、花瓶の背面を上向きにし、花瓶の上方を手前側に描いた斜視図である。
土製装飾品１は、筒状の花瓶Ａに形成されている。背面２は、装飾具に飾りやすくするため平面Ｂになるよう形成されている。背面２の上部にボタン状係止部３が取り付けられている。ボタン状係止部３は、キノコのような形状に作られ頭部Ｃが大きく軸部Ｄは細く作られている。
図２は、装飾具の実施例を示す斜視図で、左側を装飾具の上部にして描かれている。
装飾具４は、柔軟性シート５としての綿布Ｅにより形成されている。柔軟性シート５は、帯状６に形成され、上部に、吊り下げ部７としての穴Ｆが設けられている。また、柔軟性シート５には、縦長形状のボタンホール８が３箇所に設けられている。なお、各ボタンホールのサイズは、同一に作られている。
図３は、野菜を模した土製装飾品を装飾具に組み合わせた装飾品の実施例を示す斜視図である。
野菜を模した土製装飾品１は、やや扁平に形成され、その背面２は平面Ｂに形成されている。また、野菜を模した土製装飾品１の背面２には、ボタン状係止部３が形成されている。このように作られた野菜を模した土製装飾品１が３個飾られている。
装飾具４は、柔軟性シート５としての綿布Ｅにより形成されている。また、柔軟性シート５は帯状６に形成され、上部に、吊り下げ部７としての穴Ｆが設けられ、ボタンホール８が３箇所に設けられている。３箇所のボタンホール８に、３個の野菜を模した土製装飾品１の、ボタン状係止部３の頭部Ｃが差し込まれ、着脱自在に係止されている。なお、各ボタンホールのサイズを同一とし、また、各ボタン状係止部のサイズも同一とし、装飾品の配置が自在に変更できるようになされている。（一部図示省略）
【発明の効果】
【００１０】  本発明によるボタン状係止部を設けた土製装飾品は、ボタンホールを設けた柔軟性シートで作られた装飾具に掛けて飾れるので、従来の土製装飾品の展示方法になかった新規な展示方法を提供することができる。
また、ボタン状係止部を設けた土製装飾品は、ボタンホールを設けた装飾具に掛けて飾るので、土製装飾品の背面側にのみ設けただけで支障なく実用できる。
また、ボタン状係止部を土製装飾品の背面を平面にして設けた場合、ボタン状係止部を柔軟性シートのボタンホールに係止させた時、ボタン状係止部の頭部と土製装飾品本体とに挟まれる柔軟性シートとの接触面積が大きくなることによって、ボタン状係止部による係止力が強められるという効果を得る。逆に、土製装飾品の背面を平面にして、ボタン状係止部を設けることにより柔軟性シートで作られる装飾具との係止力を強めることができる。
また、ボタン状係止部を設けた土製装飾品は、ボタンホールを設けた装飾具に掛けて静的に飾るので、ボタン状係止部に脱落を防止するための固定具などを付ける必要がなく、構成が簡単で土製装飾品の構成に好適である。
また、土製装飾品にボタン状係止部を設けることにより、ボタン状係止部を設けた新規で実用的なデザインの土製装飾品を提供することができると共に、係止部の機能的効果や係るという意味的効果から縁起物などに好適な装飾物となる。
また、背面にボタン状係止部を設けた土製装飾品は、必要に応じてボタン状係止部を背面に複数箇所設けて安定性を向上させることができる。
また、ボタン状係止部を設けた土製装飾品は、ボタンホールを設けた装飾具に掛けて飾ることにより、地震などの場合、棚から落ちたり、倒れたりしない。
また、ボタン状係止部を設けた土製装飾品は、土製装飾品本体を握り部とし、ボタン状係止部を指圧部とする指圧器具として利用することができる。
また、柔軟性シートを帯状に形成して帯状の装飾具を提供することにより、省スペース的な装飾具を提供することができる。
また、帯状の柔軟性シートにボタンホールを形成した装飾具は、土製装飾品を飾る場合、幅広の装飾具に比べ安定性が高く、特に、形状や重量の異なる土製装飾品を飾る場合にもバランスを崩すことがないので、形状や重量の異なる土製装飾品を複数飾る装飾具として好適である。
また、柔軟性シートを帯状に形成し、複数のボタンホールを縦方向に設けた場合、複数の土製装飾品を飾ることができると共に、土製装飾品を飾ることによって、上のボタンホールが土製装飾品の重量によって狭められる。従って、上のボタンホールに土製装飾品を飾っている場合には、その土製装飾品を脱落しにくくし、また、上のボタンホールに土製装飾品を飾っていない場合には、ボタンホールを目立たなくするので好都合である。
また、帯状の柔軟性シートに複数のボタンホールを設けた装飾具は、複数の土製装飾品を飾る場合、上下に飾ることになるので序列や順序が明確となる。従って、飾り方の序列や順序に意味をもたせることにより、特定の情報伝達手段として利用することができる。この効果は、ボタン状係止部を設けた複数の土製装飾品と、帯状の柔軟性シートにボタンホールを複数箇所設けた装飾具を組み合わせることによって得られる効果でもある。
また、ボタン状係止部を設けた土製装飾品と、柔軟性シートにボタンホールを設けた装飾具とを組み合わせる場合、上記各効果を得るほか、土製装飾品の梱包時に柔軟性シートを巻きつけ、梱包材として兼用させることができる。
また、ボタン状係止部を設けた土製装飾品と、柔軟性シートにボタンホールを設けた装飾具とを組み合わせる場合、柔軟性シートの緩衝作用により、飾り付け時、取り外し時に、土製装飾品のボタン状係止部が欠落したり欠損したりしなくなる。
【図面の簡単な説明】
【図１】  土製装飾品の実施例を示す斜視図である。
【図２】  装飾具の実施例を示す斜視図である。
【図３】  土製装飾品を装飾具に組み合わせた装飾品の実施例を示す斜視図である。
【符号の説明】
１  土製装飾品
２  背面
３  ボタン状係止部
４  装飾具
５  柔軟性シート
６  帯状
７  吊り下げ部
８  ボタンホール
Ａ  花瓶
Ｂ  平面
Ｃ  頭部
Ｄ  軸部
Ｅ  綿布
Ｆ  穴
【図１】
2005059566.tif 000003
【図２】
2005059566.tif 000004
【図３】
2005059566.tif 000005